(57)【特許請求の範囲】
【請求項１】
固定部品（２）と可動部品（１）とを備えたジョー（２０）を有する、コーヒー・マシンのカートリッジ排出装置であって、
前記ジョー（２０）の前記固定部品（２）と前記可動部品（１）とは、閉じた位置において、前記ジョー（２０）の前部に前記カートリッジ用のハウジング（１０）を形成し、前記可動部品（１）は、前記固定部品（２）の後部に回動可能に取り付けられており、
当該カートリッジ排出装置は、前記カートリッジ用のハウジング（１０）の位置であって前記固定部品（２）上に、前記ハウジング（１０）のすぐ後方の軸線（１４）を中心に回動可能に取り付けられたイジェクタ（５）と、前記可動部品（１）の回転軸線の上方において該可動部品（１）にその一端が取り付けられた牽引アーム（３）とを有し、
該牽引アーム（３）は、その他端に、前記イジェクタ（５）の後部側に形成されたフック形状の受け部材（１３）と協働して前記イジェクタ（５）を斜めに持ち上げるよう設計された第１のピン（１１）を備えているカートリッジ排出装置。
【請求項２】
前記牽引アーム（３）は、前記第１のピン（１１）と同じ高さに位置する第２のピン（７）を備え、該第２のピン（７）は、前記固定部品（２）のガイド・カム（６）と協働するよう設計されていることを特徴とする請求項１に記載のカートリッジ排出装置。
【請求項３】
前記イジェクタ（５）が、前記カートリッジを保持するための保持手段（１７）を有することを特徴とする請求項１又は２に記載のカートリッジ排出装置。
【請求項４】
前記ジョー（２０）の前記固定部品（２）および前記可動部品（１）の長さが、１０ｃｍから３０ｃｍの間であることを特徴とする請求項１から請求項３までのいずれか１項に記載のカートリッジ排出装置。
【発明の詳細な説明】
【０００１】
本発明は、固定部品および可動部品を有するジョー（ｊａｗ）を備えた、コーヒー・マシンにおけるカートリッジ排出装置に関するものである。
【０００２】
コーヒー・マシンにおいて、抽出後のカートリッジの排出を可能にする、ジョーを備えたシステムが公知である。その原理は、ジョーの下部にイジェクタが存在し、ジョーが開放されたときにイジェクタが回転して、抽出後のカートリッジを除去することに基づいている。現行技術の装置についての欠点は、イジェクタの回転軸が、除去しようとするコーヒー部分から遠すぎることであり、これは、抽出時に圧力を上昇することによって開放する閉鎖型カートリッジを抽出した場合に、前記コーヒー部分を勢いよく飛び出させることにつながり、したがって落下中にマシンを汚染する。
【０００３】
本発明の目的は、排出装置の最適化にあり、それによって飛び出し効果を防ぐとともに、マシンに導入されたゴミ箱にカートリッジを滑り込ませることができるようにしている。
【０００４】
したがって、本発明は、固定部品と可動部品とを備えたジョーを有する、コーヒー・マシン（コーヒー供給機）のカートリッジ排出装置であって、前記ジョー部品は、閉じた位置において、前記ジョーの前部に前記カートリッジ用のハウジングを形成し、前記可動部品は、前記固定部品の後部に回動可能に取り付けられているカートリッジ排出装置において、前記カートリッジ・ハウジングの領域であって前記固定部品上に設けられたイジェクタと、前記可動部品の回転軸線の上方で該可動部品に取り付けられた牽引アームとを有し、該牽引アームは、その端部に、前記イジェクタの受け部材と協働するよう設計された第１のピンを備えているカートリッジ排出装置に関するものである。
【０００５】
前記牽引アームに設けられたピンは、任意の可能な幾何学形状とすることができる。このピンは、その形状を補完する形状を有する受け部材によく引っ掛かるように円筒形を有するのが好ましい。
【０００６】
本発明による装置では、閉鎖型または開放型カートリッジを抽出することが可能である。閉鎖型カートリッジとしては、本出願人の名前で出願された特許ＥＰ第５１２４６８号およびＥＰ第６２０２０３号の主題を成すカートリッジを想定することが可能である。しかし、本発明による装置は、閉鎖型の他のサッシュ（袋）またはカートリッジまたはカプセルに対しても制限なく使用できる。開放型カプセル、例えばプラスチック製のカプセル、または濾紙や不織布で作られたサッシュに対しても本発明による装置を使用することが可能である。
【０００７】
本発明による装置は、カートリッジまたはサッシュ抽出用に設計された任意のタイプのコーヒー・マシンに導入することができる。例えば、本出願人の名前で１９９９年８月３１日に提出された特許出願ＥＰ第９９１１７１０７．５号の主題であるマシンにこの装置を導入することが可能になる。
【０００８】
本発明による装置のイジェクタは、その一部に受け部材を備えたフラットな環状システムから構成される。これらの受け部材は、前記環状システムの側方に、かつ前記イジェクタの回転軸に直角に配置されるのが好ましい。イジェクタの回転軸線は、カートリッジ・ハウジングの直後、例えば該ハウジングより５から１５ｍｍ離れた位置に配置される。
【０００９】
好ましい実施形態において、牽引アームは、ジョーの固定部品のガイド・カムと協働するよう設計された、第１のピンと同じレベルにある第２のピンを備える。第２のピンは、第１のピンと同様に、任意の幾何学形状をとりうる。好ましくは、第１のピンの形状と同一の円筒形を有する。ジョーの固定部品のガイド・カムは、前記第２のピンを導入し且つ移動させる開口部を有する。このカムは、イジェクタの良好な排出と、初期位置への良好な戻りとを確保するように牽引アームに良好な案内を提供する。
【００１０】
ジョーが開いたときに、ジョーの可動部とともにカートリッジが上昇しないことが必要である。カプセルは、ジョーの固定部品内のハウジングに留まる必要がある。これを達成するために、カプセルを保持する手段がイジェクタに設けられる。これらの手段の種類は何でもよい。例えば、本出願人の名前で１９９７年７月１４日に提出された特許出願ＥＰ第９７２０２２０８．１号の主題である保持手段を使用することが可能である。
【００１１】
本発明による装置の大きさは重要ではない。通常は、固定部品および可動部品の長さが１０から３０ｃｍ程度のコーヒー・マシンを対象とする。
【００１２】
受け部材は、一方でジョーを開放させ、次いで使用済みのカートリッジを排出させる。したがって、それらは、第１にピンの滑動を可能にする凹部から構成され、次いでピンがイジェクタを正確に持ち上げることを可能にするフックから構成される。
【００１３】
以下、添付の図面を参照しながら説明する。
【００１４】
図１および図２は閉じられた装置を示し、図３から図５は不完全に開いた装置を示し、図６および図７は全開した装置を示す。可動部品（１）および固定部品（２）を有するジョー（２０）であって、回転軸（８）の周りで開閉するジョー（２０）が存在する。ガイド・カム（６）内に第２のピン（７）を有する牽引アーム（３）をはっきりと見ることができる。このアーム（３）は、軸（９）の周りを回転する。ジョー（２０）の可動部品（１）上のケージ（４）によって、カートリッジ用のハウジング（１０）が形成される。イジェクタ（５）は、牽引アーム（３）のピン（１１）によって軸線（１４）の周りを回動する。止め金（１１）および（７）は互いの延長上に位置している。それらは、通常は円筒形状である。イジェクタは凹部（１２）およびフック（１３）を備えており、これらはイジェクタがアーム（３）とともに回動するのを可能にしている。
【００１５】
本発明による装置は以下のように機能する。すなわち、消費者は、開位置にあるジョー（２０）の固定部品（２）上のイジェクタ（５）の領域に抽出用カートリッジ（図示せず）を配置する。次いで、前述の特許出願ＥＰ第９９１１７１０７．５号の主題である装置（図示せず）を用いてこの装置を閉じると、カートリッジはケージ（４）によって形成されたハウジング（１０）内に配置される。消費者はカートリッジの抽出を行うが、この抽出は本発明の主題を成すものでないため、ここではその説明を省略する。次いで、消費者は、ジョーを開くために、前述の特許出願の主題である開放手段を働かせる。ジョー（２０）の可動部品（１）は、アーム（３）およびアームの末端のピン（１１）に従って上昇する。ジョーが開くときに、カートリッジの下端は、それが実際にイジェクタ（５）上に留まるように、手段（１７）によって保持される。その行程の第１の部分において、ピンはイジェクタ（５）の凹部（１２）に沿って滑り、図３から図５の位置に到達すると、前記ピン（１１）はフック（１３）の内側形状を辿って、イジェクタ（５）を持ち上げる。この瞬間、カートリッジはシュート（１６）を滑り落ちてゴミ箱に入る。イジェクタが十分な高さになると、ピン（１１）はフック（１３）から外れ、イジェクタは降下して図６および図７の位置になる。ピン（７）を伴うガイド・カム（６）は、排出の際にピン（１１）に対して良好な案内を提供し、一方、イジェクタ（５）は降下して元に戻る。
【００１６】
図８は、矢印Ａ（図６）の方向において、イジェクタを明確に示す図である。この図は、その環状形状、および排出のための凹部（１２）およびフック（１３）を明確に示している。プレート（１５）は、閉鎖型カートリッジを抽出する場合の、凹要素および凸要素を有する別個の部品である。保持手段（１７）は、イジェクタの一体部品を形成し、ジョー（２０）の固定部品（２）の前部に配列されている。
【００１７】
本発明による装置は、即席飲料用抽出タイプのものを含む、あらゆるタイプのコーヒー・マシンに対して使用できる。
【図面の簡単な説明】
【図１】  ジョーが閉じられた装置の部分断面図である。
【図２】  図１を他方向から見た図である。
【図３】  開放されている装置の部分断面図である。
【図４】  図３を他方向から見た図である。
【図５】  図３の上面図である。
【図６】  全開した装置の部分断面図である。
【図７】  図６を他方向から見た図である。
【図８】  上方から見たイジェクタの図である。
【図１】
0004975924.tif 000002
【図２】
0004975924.tif 000003
【図３】
0004975924.tif 000004
【図４】
0004975924.tif 000005
【図５】
0004975924.tif 000006
【図６】
0004975924.tif 000007
【図７】
0004975924.tif 000008
【図８】
0004975924.tif 000009